(57)【要約】      （修正有）【課題】簡易弁当容器において、蓋面及び底面の片面だけにポリエチレンフイルムや紙を被覆した杉薄板を使用した杉木質効果を呈する食品容器用木製蓋材及び底材を提供する。【解決手段】食品包装容器であって、蓋部、及び底部に杉薄板の０．２〜３ｍｍの厚さの平板材を使用し、平板材の片面はポリエチレンの極薄品のフイルムや紙で密着被覆された杉の木目を呈する自然木状表面を持つ擬似未加工状態の薄板表面になっており、蓋部及び底部の外面を被覆面として、板材の亀裂を防ぎ、折り曲げ可能な効果をもたらし、容器の内面は、食品の水分の吸排効果と杉の防腐効果と杉の香り効果をもたらす被覆のない板面にした。【選択図】図２
0003224433.tif 000002
【実用新案登録請求の範囲】
【請求項１】
食品包装容器であって、蓋部、底部に杉薄板の０．２〜３ｍｍの厚さの平板材からなり、前記平板材の片面にポリエチレンの極薄品のフイルムや紙で密着被覆された杉の木目を呈する自然木状表面を表現されている擬似未加工状態の薄板表面になっており、前記蓋部及び底材の被覆面を外側面に使用して、板材の亀裂を防ぎ、折り曲げ可能な効果をもたらし、容器の内側面には、食品の水分の吸排効果と杉の防腐効果と香り効果をもたらす被覆のない板面にした、片面のみ通気性で良好なフイルムや紙で被覆した杉薄板を使用されていることを特徴とする食品容器用木製蓋材及び底材。
【請求項２】
前記食品容器用木製蓋材及び底材の薄杉平板の外側面に被覆する極薄フイルムは、通気性を高くした厚さ１５〜２５ミクロンのポリエチレンフイルムであって、前記フイルムの杉表面に食品安全性接着剤を塗布して加圧成形して、杉板材の表面に均一圧着した通気性ポリエチレンフイルムや紙で被った薄平板であることを特徴する請求項１に記載の食品容器用木製蓋材及び底材。
【請求項３】
食品容器用木製蓋材及び底材を使用される杉木質食品包装容器で構成される箱状容器は、縦１５０〜２５０ｍｍ、横１５０〜２５０ｍｍ、高さ２５〜７０ｍｍであって、側板として３〜６箇所の折り曲げ部を設けて、縦方向で両側に１０〜２０ｍｍの縁部に接合した角状体であり、前記箱状容器の蓋、底として、杉薄板の厚さ０．２〜３ｍｍ、縦１５０〜２７０ｍｍ、横１５０〜２７０ｍｍの寸法である通気性ポリエチレンフイルムや紙で被った薄平板を使用していることを特徴する請求項１、又は請求項２に記載の食品容器用木製蓋材及び底材。
【考案の詳細な説明】
【技術分野】
【０００１】この考案は、杉木製蓋板、底板からなる簡易弁当容器において、蓋面、底面に使用する片面ポリエチレンフイルム又は、紙を被覆した薄板を使用した杉木質効果を呈する食品容器用木製蓋材及び底材に関する。
【背景技術】
【０００２】従来の折り畳み可能な木質弁当容器は、板材の一方の面に折り溝を形成し、この折り溝で板材の両端を折り曲げて弁当容器の一対の側壁と、及び底面を形成する。即ち、板材の短手方向の両端に近い位置にそれぞれ対称の折り溝を形成し、折り溝で板材の両端を折り曲げて板材の両端が直立した状態において断面がコの字状を呈するようにする。また、長手方向の両端は紙材で塞ぐ方法が提案された。【０００３】また各地の特産物を収納した箱体において、デザイン性を持たせ、安全、安心して自然感を味わえる張り合わせた折り畳み蓋付き木製食品収納箱として、折り畳み蓋付き食品収納箱において、寸法として高さ５０〜１００ｍｍ、横２００〜７００ｍｍ、縦２００〜７００ｍｍ、厚さ３〜７ｍｍの木製の長方体、又は正方体であって、当該箱体１の蓋を前記横幅の１／２〜１／８の幅で、長さ２００〜７００ｍｍの板体を横に並べて、表面に紙、樹脂フイルム、布シートを接着剤によって張り合わせた折り畳み状の蓋になって、箱体内に食品関係を収納できるようになっている木製容器が提案されている（特許文献１参照）。【０００４】また加湿用の容器用可能な、木製薄板から切り抜いた数枚の組立部材から、組み立てる造形模様の薄板加湿器として、多孔質で吸水性を有する可撓性の杉薄板であって、長い帯状の木製素材で、該材質の平薄板の素材を屈曲して端部を接合した筒状にして底面を付けて、略円筒状、又は円錐台形状の容器体を形成し、容器体に水を注入した水槽に、薄板円筒状容器の水槽内に導水性の高い長方体の木目方向薄板１〜５枚によってデザイン状を高めた形態の模様に造形して、各長方体の木目方向薄板の両端面を水に浸漬させた後に、薄板の全表面を水分の吸収、及び蒸発を高めた状態になっているものを提案されている（特許文献２参照）。【０００５】また使用しない場合は折り畳んだ状態にし、使用時に展開する折り畳み式の食品容器であって、安定した展開状態が得られる木質折り畳み式平面状食品包装容器として、蓋面部と、底面容器部との二枚の折り畳みによって包装容器になる０．２〜２ｍｍの厚さの薄板平板からなっており、蓋面部は、二箇所折りになって、中心部を底面容器部の中心食品収納部の大きさと同じ寸法にして、他の二箇所の両端部を底面容器部の側板高さと同じ高さになった形状にして、底面容器部は中心の長方形の四辺に折り曲げ可能な各側板部を持っており、長手方向の側板部には短手方向の側板を接着できるように三角形状の糊代部を４箇所に設けて、短手方向の二箇所の側板にはそれぞれ余足部を設けて、長方体の箱状容器を構成できるように組み立て時に折り曲げ可能な押圧溝を各箇所に付けた樹脂フイルム加工を両面、又は片面に施した二枚の平板薄板からなっている容器が提案されている（特許文献３参照）。【０００６】一方組立式であって、使用後、平板状のまま容器の四隅を洗いやすく、収納を楽にした一枚のシート材に折り目加工をした特徴ある折り畳み式の食品容器を提供するために、底部の四隅方向の折り目を介して左右の壁と前後の壁を設け、更に前後の壁の延長である先端の折込部を内側に折り曲げ、折込部の更に内側と前後の壁の内側に留め部を備えたシート材の折り畳み式の食品容器が提案されている（特許文献４参照）。【０００７】さらに使用しない場合は折り畳んだ状態にし、使用時に展開する折り畳み式の弁当容器であって、従来の技術に見られるように弁当容器が展開した状態を保つために別途支持板を嵌め込むことなく、弁当容器の安定した展開状態が得られる木質弁当容器を提供する。木質の弁当容器であって、底面部と、該底面部の短手方向の両側辺にそれぞれ連結する一対の第１側面部と、該底面部の長手方向の両側辺にそれぞれ連結する一対の第２側面部とを有する板材と、及び該底面部と該第２側面部との間に貼着して、展開した場合該第１側面部とともに該弁当容器が展開した状態を保つように設けた端面封着紙と、によって構成することが提案されている（特許文献５参照）。【０００８】食品の水分の吸排水の効果がなく、また食品の木材に含有する成分から腐敗を遅らせる効果、或いは木質の自然な匂いの香りがして食欲をそそる効果を示す食品容器用木製蓋材を提案することであり、薄板を使用した曲げ折り、強度の点で杉木製蓋板からなる食品容器用木製蓋材に関する提案はほとんどない。
【先行技術文献】
【特許文献】
【０００９】
【特許文献１】実用新案登録第３１８４５３１号公報
【特許文献２】実用新案登録第３１９２８０８号公報
【特許文献３】実用新案登録第３２０２９１０号公報
【特許文献４】実開平５−２９９２５号公報
【特許文献５】実用新案登録第３１３４１１１号公報
【考案の概要】
【考案が解決しようとする課題】
【００１０】食品の包装容器として、樹脂容器、紙容器が一般に使用されている。しかし樹脂製、紙製の容器では、食品の水分の吸排水の効果がなく、また食品の木材に含有する成分から腐敗を遅らせる効果、或いは木質の自然な匂いの香りがして食欲をそそる効果はほとんど存在していないが、杉などはこれらの効果が多大にもっており、古くから木製の食品容器に木製容器が多用されていた。しかも容器の蓋板に使用されるとその効果が大きいことが知られている。価格、便利さ、廃棄の点で樹脂、紙の容器が多き使用されている。現在ではそれらの点も見直されて、木製容器も使用さるようになったが、価格の点、便利さの点では通常の板材の容器では十分ではない。薄板を使用する場合には耐久性、曲げ折り、強度の点で改良が要求されている。また板材の点では材料によっては資源の枯渇と価格の点では満足できるものではない。【００１１】古くからは、食品の包装として松の薄板が使用されてきたが、材料の枯渇と製品の安定性、また破損が多く、折り曲げが難しい状況であり、木製の薄板で破損は少なく、折り曲げも可能な材料として木材の片面にオレフィンや紙の被膜を付けて、しかも本来の木材の特性を板面に出させる材料が容器の蓋と底に求められている。前記の点に鑑みなされたものであり、木材の容器の折り曲げを可能とし、食品の水分の吸排水の効果を呈して、また食品の木材に含有する成分から腐敗を遅らせる効果、或いは木質の自然な匂いの香りがして食欲をそそる効果も発揮でき、廃棄や回収時の効率を高めることができる新たな容器である蓋になり、並びに蓋の折り曲げの構造を提供するものである。さらに食品容器の蓋、底とし、破損、価格、便利さを含めて、廃棄や回収時の効率を高めることができる新たな食品容器、並びにその折り曲げのための構造、さらにこの容器に用いる食品容器用木製蓋材及び底材を提供することを目的とするものである。
【課題を解決するための手段】
【００１２】食品包装容器であって、蓋部及び底材に杉薄板の０．２〜３ｍｍの厚さの平板材からなり、前記平板材の片面にポリエチレンの極薄品のフイルムや紙で密着被覆された杉の木目を呈する自然木状表面を持つ擬似未加工状態の薄板表面になっており、前記蓋部及び底材の外面に被覆面を使用して、板材の亀裂を防ぎ、折り曲げ可能な効果をもたらし、容器の内面には、食品の水分の吸排効果と杉の防腐効果と杉の香り効果をもたらす被覆のない板面にした、片面のみ通気性フイルムや紙で被覆した杉薄板を使用されている食品容器用木製蓋材である。ポリエチレンフイルムが片面に被覆することが望ましいが、両面にフイルムや紙を被覆することもできる。出来れば５０〜１００％の被覆も可能である。【００１３】前記食品容器用杉木製蓋材及び底材の外面に被覆面を使用する杉の薄平板の表面を被覆する極薄で通気性を高くした厚さ１５〜２ミクロンのポリエチレンフイルムや紙であって、前記フイルムの杉表面に食品安全性接着剤を塗布して加圧成形して、杉板材の表面に均一圧着した通気性をもたらせたポリエチレンフイルムや紙で被った薄平板である。【００１４】食品容器用木製蓋材及び底材を使用される杉木質食品包装容器で構成される箱状容器は、縦１５０〜２５０ｍｍ、横１５０〜２５０ｍｍ、高さ２５〜７０ｍｍであって、杉薄板の蓋材及び底材は縦１５０〜２７０ｍｍ、横１５０〜２７０ｍｍであり、側板として３〜６箇所の折り曲げ部を設けて、縦方向で両側に１０〜２０ｍｍの縁部に接合している。【００１５】前記木質食品包装容器の側板は、木製ファルカタ材、杉材、紙材で、側面に掘り込み体を設けており、側板の両先端の結合のために、両先端部を切削して、切削した両先端を接着剤にて接合するか、両先端部を接合金具にて結合させて、箱体を形成させている。一方本考案の木質食品包装容器は、食品として菓子、羊羹、饅頭、ハム、ソーセイジ、瓶入りジャム、ケーキなど弁当型（ご飯とおかず）食品以外の食品を充填することもできる、さらに食品以外の衣料、贈答品、文具も収納できる。
【考案の効果】
【００１６】本考案の食品容器用木製蓋材及び底材を使用することによって、木材の容器の折り曲げを可能とし、食品の水分の吸排水の効果を呈して、また食品の木材に含有する成分から腐敗を遅らせる効果、或いは木質の自然な匂いの香りがして食欲をそそる効果も発揮でき、廃棄や回収時の効率を高めることができる新たな食品箱型容器である蓋材及び底材になり、並びに蓋材の折り曲げ可能な構造を提供するものである。さらに食品容器の蓋材、底材の破損、価格、便利さを含めて、廃棄や回収時の効率を高めることができる新たな箱型弁当容器、並びにその折り曲げのための構造、さらにこの箱型容器における食品容器用木製蓋材及び底材を提供できた。
【図面の簡単な説明】
【００１７】
【図１】簡易弁当容器に使用する食品容器用木製蓋材及び底材の斜視図である。Ａ：蓋材  Ｂ：底材
【図２】食品容器用木製蓋材を使用した蓋面の種類を示す図である。Ａ：蓋、底付き容器１  Ｂ：蓋、底付き容器２  Ｃ：蓋、底付き容器３
【図３】食品容器用木製蓋材及び底材の構造を示した図である。
【考案を実施するための形態】
【００１８】この考案は、食品の水分の吸排水の効果がなく、また食品の木材に含有する成分から腐敗を遅らせる効果、或いは木質の自然な匂いの香りがして食欲をそそる効果を示す木質容器で、薄板を使用した杉木製蓋板を持つ簡易弁当容器を提供する。かかる杉木製蓋板と底板からなる簡易弁当容器の特徴を説明するために、具体的な実施例を挙げ、図面を参照にして以下に説明する。
【実施例１】
【００１９】図１に示すように食品包装容器であって、蓋部及び底部に杉薄板の３ｍｍの厚さ、１５５ｍｍ横幅、２１０ｍｍ縦幅の平板材からなり、前記平板材の片面にポリエチレンの極薄品の厚さ２５ミクロンのフイルムや紙で密着被覆された杉の木目を呈する自然木状表面を持つ擬似未加工状態の薄板表面になっており、前記蓋部の外面に被覆面を使用して、板材の亀裂を防ぎ、折り曲げ可能な効果をもたらし、容器の内面には、食品の水分の吸排効果と杉の防腐効果と杉の香り効果をもたらすポリエチレンフイルムや紙の被覆のない板面にした、片面のみ通気性フイルムで被覆した杉薄板を使用されている食品容器用木製蓋材であった。前記食品容器用杉木製蓋材の外面に被覆面を使用する杉の薄平板の表面を被覆する極薄で通気性を高くしたポリエチレンフイルムや紙であって、図３に示すように前記２５ミクロンのフイルムを杉表面に接着剤を塗布して加圧成形して、杉板材の表面に均一に通気性ポリエチレンフイルムや紙で被った薄平板であった。【００２０】図２に示すように食品容器用木製蓋材及び底材を使用される杉木質食品包装容器で構成される箱状容器は、縦１５０ｍｍ、横２００ｍｍ、高さ５０ｍｍであって、杉薄板の蓋材は、２ｍｍの厚さ、１５５ｍｍ横幅、２１０ｍｍ縦幅の平板材であり、折り曲げる場合には縦方向で両側に１０ｍｍの縁部を設けた。前記杉木質食品包装容器の側板は、杉材で、側面に掘り込み体を設けており、側板の両先端の結合のために、両先端部を切削して、切削した両先端を接着剤にて接合するか、両先端部を接合金具にて結合させて、箱体を形成させた。
【実施例２】
【００２１】食品包装容器であって、蓋部及び底材に杉薄板の２ｍｍの厚さの平板材からなり、前記平板材の片面にポリエチレンの極薄品の厚さ２５ミクロンのフイルムや紙で密着被覆された杉の木目を呈する自然木状表面を持つ擬似未加工状態の薄板表面になっており、前記蓋部の外面に被覆面を使用して、板材の亀裂を防ぎ、折り曲げ可能な効果をもたらし、容器の内面には、食品の水分の吸排効果と杉の防腐効果と杉の香り効果をもたらす被覆のない板面にした、片面のみ通気性フイルムで被覆した杉薄板を使用されている食品容器用木製蓋材及び底材である。【００２２】前記食品容器用杉木製蓋材及び底材の外面に被覆面を使用する杉の薄平板の表面を被覆する極薄で通気性を高くしたポリエチレンフイルムや紙であって、前記フイルムの杉表面に接着剤を塗布して加圧成形して、杉板材の表面に均一に通気性ポリエチレンフイルムや紙で被った薄平板であった。【００２３】食品容器用木製蓋材及び底材を使用される杉木質食品包装容器で構成される箱状容器は、縦２００ｍｍ、横１５０ｍｍ、高さ７０ｍｍであって、杉薄板の蓋材は縦２００ｍｍ、横１５０ｍｍであり、折り曲げる場合には縦方向で両側に２０ｍｍの縁部を設けた。【００２４】前記杉木質食品包装容器の側板は、木製ファルカタ材で、側面に掘り込み体を設けており、側板の両先端の結合のために、両先端部を切削して、切削した両先端を両先端部を接合金具にて結合させて、箱体を形成させた。
【実施例３】
【００２５】食品包装容器であって、１ｍｍ厚さの蓋部及び２ｍｍの厚さの底部に杉薄板の平板材からなり、前記平板材のそれぞれ片面にポリエチレンの極薄品の厚さ２５ミクロンのフイルムや紙で密着被覆された杉の木目を呈する自然木状表面を持つ擬似未加工状態の薄板表面になっており、前記蓋部の外面に被覆面を使用して、板材の亀裂を防ぎ、折り曲げ可能な効果をもたらし、容器の内面には、食品の水分の吸排効果と杉の防腐効果と杉の香り効果をもたらす被覆のない板面にした、片面のみ通気性フイルムで被覆した杉薄板を使用されている食品容器用木製蓋材及び底材である。【００２６】図２Ａのような前記食品容器用杉木製蓋材及び底材の外面に被覆面を使用する杉の薄平板の表面を被覆する極薄で通気性を高くしたポリエチレンフイルムや紙であって、前記フイルムの杉表面に接着剤を塗布して加圧成形して、杉板材の表面に均一に通気性ポリエチレンフイルムで被った薄平板であった。【００２７】食品容器用木製蓋材及び底材を使用される杉木質食品包装容器で構成される箱状容器は、縦２５０ｍｍ、横２００ｍｍ、高さ４０ｍｍであって、杉薄板の蓋材及び底材は縦２７０ｍｍ、横２２０ｍｍであり、折り曲げる場合には縦方向で両側に１０ｍｍの縁部を設けた。【００２８】前記杉木質食品包装容器の側板は、木製ファルカタ材で、側面に掘り込み体を設けており、側板の両先端の結合のために、両先端部を切削して、切削した両先端を接着剤にて結合させて、箱体を形成させた。
【符号の説明】
【００２９】１．  食品容器用杉木製蓋材
２．  薄板材
３．  ポリエチレンフイルム及び、紙
４．  蓋面
５．  蓋板
６．  側面
７．  底板
８．  折り曲げ部
９．  木目
１０．食品包装容器
１１．Ｖ字部
１２．接着部
１３．掘り込み部
【図１】
0003224433.tif 000003
【図２】
0003224433.tif 000004
【図３】
0003224433.tif 000005